(57)【特許請求の範囲】
【請求項１】
座部と、前記座部に連結され椅子状態からベッド状態までリクライニング角度を調整可能な背もたれ部と、前記座部を揺動可能に支持するベース部と、前記座部の揺動を許容ないし規制する揺動ロック機構とを備え、
前記揺動ロック機構は、前記座部に設けられて前記背もたれ部のリクライニング角度に応じて変位するロック部材と、前記ベース部に設けられて前記ロック部材と係合する係合部とを有し、前記ベッド状態に連動して前記ロック部材を前記係合部から離脱させて前記座部の揺動を許容し、前記椅子状態に連動して前記ロック部材を前記係合部に係合させて前記座部の揺動を規制するよう構成される、揺動ベッド。
【請求項２】
前記揺動ロック機構は、前記リクライニング角度に連動して回動するカムをさらに有し、前記ロック部材は前記カムと変位可能に摺接する、請求項１に記載の揺動ベッド。
【請求項３】
前記背もたれ部は、幅方向に延びる軸を介して前記座部に連結されて、前記軸回りにリクライニング角度を調整され、
前記カムは、前記軸と同軸となるよう前記背もたれ部に設けられる、請求項２に記載の揺動べッド。
【請求項４】
前記背もたれ部は、幅方向中央領域に形成される背もたれ面と、幅方向両側にそれぞれ形成されて前記背もたれ面から立ち上がる背もたれ側壁とを有し、
前記カムは、前記背もたれ側壁の幅方向外側に配置される、請求項３に記載の揺動ベッド。
【請求項５】
前記座部は、幅方向中央領域に形成される座面と、幅方向両側にそれぞれ形成されて前記座面から立ち上がる座席側壁とを有し、
前記背もたれ側壁は、前記座席側壁よりも幅方向内側に配置され、
前記カムは、前記背もたれ側壁の幅方向外側面に設けられて前記座席側壁に覆われる、請求項４に記載の揺動ベッド。
【請求項６】
前記ベース部は幅方向外側空間と幅方向内側空間とを仕切る仕切壁を有し、前記揺動ロック機構の前記係合部は前記仕切壁の幅方向内側壁面に形成され、揺動ロック機構の前記ロック部材は前記仕切壁よりも幅方向内側に配置される、請求項１〜５のいずれかに記載の揺動ベッド。
【請求項７】
前記ベース部および前記座部のいずれか一方は幅方向両側で前後方向に延びる１対の湾曲した軌道面を有し、前記ベース部および前記座部の残る他方は前記軌道面に沿って転動する転動体を有し、前記転動体が前記軌道面上を往復することにより前記座部は前記ベース部に対して揺動する、請求項１〜６のいずれかに記載の揺動ベッド。
【発明の詳細な説明】
【技術分野】
【０００１】
本発明は、背もたれ部を倒すことにより揺動可能なベッドの形態となるだけでなく、背もたれ部を起こして椅子の形態にもなる、乳幼児用の揺動ベッドに関する。
【背景技術】
【０００２】
揺動ベッドとしては従来、さまざま形態のものが知られている。例えば、特開２００６−１９８１８６号公報（特許文献１）に記載の揺動椅子は、座部および背もたれ部を有し、背もたれ部は椅子の状態からベッドの状態になるまで後傾可能である。また、座部および背もたれ部からなる座席本体が、座席支持部材に揺動可能に支持される。
【先行技術文献】
【特許文献】
【０００３】
【特許文献１】特開２００６−１９８１８６号公報
【発明の概要】
【発明が解決しようとする課題】
【０００４】
しかし、上記従来のような揺動椅子にあっては、更に改善すべき点があることを本発明者は見出した。つまり、ベッド状態では乳幼児の安眠を誘導するために座席本体を好適な周期で揺動させるのがよい。その一方で、椅子状態でも揺動可能とすれば、座席本体に着座する乳幼児の上半身が不用意に揺れてしまう。このため、乳幼児の世話に支障をきたしたり、乳幼児が姿勢のバランスをくずしたりしないよう、椅子状態では座席本体の揺動を規制するのが望ましい。
【０００５】
従来の揺動椅子にあっては、座席本体の揺動を許容ないし規制する周知の揺動ロック機構を備えているものの、揺動ロック機構の操作は乳幼児の保護者に委ねられていた。このため、保護者が意識して揺動ロック機構を操作し、座席本体の揺動を規制しない限り、椅子状態であっても座席本体が揺動してしまう。
【０００６】
本発明は、上述の実情に鑑み、保護者が意識して揺動ロック機構を操作する必要をなくし、ベッド状態では座席を揺動可能とし、椅子状態では座席の揺動を規制することができる揺動ベッドを提供することを目的とする。
【課題を解決するための手段】
【０００７】
この目的のため本発明による揺動ベッドは、座部と、座部に連結され椅子状態からベッド状態までリクライニング角度を調整可能な背もたれ部と、座部を揺動可能に支持するベース部と、座部の揺動を許容ないし規制する揺動ロック機構とを備える。そして揺動ロック機構は、座部に設けられて背もたれ部のリクライニング角度に応じて変位するロック部材と、ベース部に設けられてロック部材を受け入れる係合部とを有し、ベッド状態に連動してロック部材を係合部から離脱させて座部の揺動を許容し、椅子状態に連動してロック部材を係合部に係合させて座部の揺動を規制するよう構成される。
【０００８】
かかる本発明によれば、揺動ロック機構が背もたれ部のリクライニング角度に応じて変位するロック部材を有し、ベッド状態でロック部材を係合部から離脱させて座部の揺動を許容し、椅子状態でロック部材を係合部に係合させて座部の揺動を規制するよう構成されることから、背もたれ部のリクライニング角度に連動してロック部材を自動的に変位させることができる。したがって乳幼児の保護者がロック部材をわざわざ操作しなくも、ベッド状態で座部の揺動を許容し、椅子状態で揺動を規制することができる。係合部の形状は特に限定されず、例えば、ロック部材を受け入れる凹部または孔である。
【０００９】
なおベッド状態とは座部および背もたれ部の双方が水平にされる状態のみに限定されない。例えば背もたれ部が１５０度から１８０度まで後傾されるものであってもベッド状態に含まれると理解されたい。また座部は通常において水平であるが、乳幼児が深く腰掛け易いよう座部の前部が後部よりも高い位置にされる場合もある。したがって例えば座部が０度から３０度まで後傾されるものであってもベッド状態に含まれると理解されたい。またリクライニング式の揺動ベッドにあっては、リクライニング角度を段階的あるいは無段階に調整可能とするため、ベッド状態を所定のリクライニング角度よりも大きく規定し、椅子状態を所定のリクライニング角度よりも小さく規定してもよい。
【００１０】
１実施形態として、ロック部材は背もたれ部の背後に配設され、背もたれ部がベッド状態まで後傾されるとロック部材が背もたれ部に当接して揺動を許容する非ロック位置にされ、背もたれ部が椅子状態まで引き起こされるとロック部材が背もたれ部から離れて揺動を規制するロック位置に復帰する。他の実施形態としてロック部材と背もたれ部の間にリンク機構や歯車機構が介在し、背もたれ部のリクライニング角度をロック部材に伝達してロック部材の位置を変化させる。例えば揺動ロック機構は、リクライニング角度に連動して回動するカムをさらに有し、ロック部材はカムと変位可能に摺接する。かかる実施形態によれば、カムの回転角度に応じてロック部材を変位させることができる。揺動ロック機構のカムは、一部において楕円形状に膨らんだ輪郭を有し、残りの部分において真円形状の輪郭を有する円板であり、背もたれ部のリクライニング角度が伝達される。他の実施形態として、揺動ロック機構のカムは、背もたれ部の軸を中心とする円弧形状の輪郭と、かかる円弧形状の輪郭よりも径方向内側に窪んだ輪郭あるいは円弧形状の輪郭よりも径方向外側に膨らんだ輪郭を有する。そしてカムの真円形状部分あるいは円弧形状部分が椅子状態に対応し、カムの膨らみ部分あるいは窪み部分がベッド状態に対応する。
【００１１】
本発明の揺動ロック機構は大きさおよび配置箇所について特に限定されない。揺動ロック機構は揺動ベッドの前方部、後方部、あるいは前後方向中央部に設けられてもよいし、揺動ベッドの幅方向一方縁、幅方向他方縁、あるいは幅方向中央部に設けられてもよい。
【００１２】
１実施形態として揺動ロック機構は、背もたれ部のリクライニング角度に応じて回動するギヤ歯と、このギヤ歯の回動をカムに伝達する中間歯車とを有する。あるいは好ましい実施形態として、背もたれ部は、幅方向に延びる軸を介して座部に連結されて、この軸回りにリクライニング角度を調整され、カムは、この軸と同軸となるよう背もたれ部に設けられる。かかる実施形態によれば、カムが背もたれ部と一体に回動し、カムが背もたれ部のリクライニング角度と同じ角度で回動する。したがって、リクライニング角度に応じて揺動ロック機構を動作させることができる。また座部と背もたれ部との連結軸は揺動ベッドの前後方向中央部に位置することから、揺動ベッドの前後方向中央部にロック機構を設けることができる。したがって、前後方向中央部において座部を安定してロックすることができるとともに、保護者が誤ってロック機構に触れる虞を減少させることができる。
【００１３】
揺動ロック機構の１実施形態としてカムを小さく形成してロック部材を背もたれ部の軸の近傍に配置してもよいし、他の実施形態としてカムを大きく形成してロック部材を背もたれ部の軸から離れて配置してもよい。また１実施形態として揺動ロック機構を幅方向中央に設けてもよいが、好ましい実施形態として揺動ロック機構を幅方向一方端ないし両方端に設けるとよい。かかる実施形態によれば、揺動ロック機構が幅方向中央領域から離れて配置されることから、背もたれ部の軸の幅方向中央領域をすっきりとさせることができ、レイアウト上有利である。
【００１４】
カムはロック部材と当接することから、座部に座り背もたれ部にもたれる乳幼児がロック部材に触れることがないように、揺動ロック機構を乳幼児から離すことが好ましい。かかる１実施形態として背もたれ部は、幅方向中央領域に形成される背もたれ面と、幅方向両側にそれぞれ形成されて背もたれ面から立ち上がる背もたれ側壁とを有し、カムは、背もたれ側壁の幅方向外側に配置される。かかる実施形態によれば、カムが背もたれ側壁の幅方向外側に配置されることから、カムを揺動ベッドに着座する乳幼児から隠すことができ、安全上有利である。背もたれ側壁の幅方向外側に配置されるカムは、背もたれ側壁と別部材であってもよいし、背もたれ側壁に一体形成されてもよい。
【００１５】
ロック部材はカムと当接することから、揺動ロック機構を外部に露出しないよう配置することが好ましい。１実施形態として、揺動ロック機構を覆うカバーを設ける。好ましい実施形態として座部は、幅方向中央領域に形成される座面と、幅方向両側にそれぞれ形成されて座面から立ち上がる座席側壁とを有し、背もたれ側壁は、座席側壁よりも幅方向内側に配置され、カムは、背もたれ側壁の幅方向外側面に設けられて前記座席側壁に覆われる。かかる実施形態によれば、カムとロック部材の当接箇所が背もたれ側壁と座席側壁との間に配置され、揺動ロック機構を外部に露出しないよう隠すことができる。したがって、指詰めなどの危険を防止することができる。
【００１６】
より好ましい実施形態として、ベース部は幅方向外側空間と幅方向内側空間とを仕切る仕切壁を有し、揺動ロック機構の係合部は仕切壁の幅方向内側壁面に形成され、揺動ロック機構のロック部材は仕切壁よりも幅方向内側に配置されるとよい。かかる実施形態によれば、ロック部材と係合部の係合箇所が外部に露出しないようロック部材をベース部の幅方向内側に隠すことができ、安全上有利である。
【００１７】
ベース部は様々な方法で座部を揺動可能に支持することができる。１実施形態として座部はロッドを介してベース部に吊り下げられ、ロッドの上端がベース部と連結し、ロッドの下端が座部と連結し、ロッドの下端がロッドの上端に対して前後方向に揺動する。他の実施形態として、ベース部には前後方向に水平に延びるレールを設け、座部にはこのレールに案内される案内部材を設け、案内部材がレールに沿って前後方向に往復する。またベース部には、所定の周期で座部に前後方向の推力を与える動力部を設ける。
【００１８】
好ましい実施形態として、ベース部および座部のいずれか一方は幅方向両側で前後方向に延びる１対の湾曲した軌道面を有し、ベース部および座部の残る他方は軌道面に沿って転動する転動体を有し、転動体が軌道面上を往復することにより座部はベース部に対して揺動する。かかる実施形態によれば、吊り下げのためのロッドが不要となって座部およびベース部の上下方向寸法を小さくすることができる。そして座部に推力を与えなければ転動体は軌道面の前後方向中央に自然に復帰して、ロック部材と係合部を前後方向同位置にすることができる。したがって、ロック部材を上方へ押し上げるだけで係合部に容易に係合させることができる。
【００１９】
軌道面は例えば座部に下向きに設けられ、前後方向中央が最も高く、前端および後端に向かうにつれて徐々に低くなるよう湾曲した曲面にされる。これに対して転動体はベース部に回転自在に設けられる。そして転動体の上縁に軌道面が乗せられ、転動体が回転しながら軌道面を前後方向に往復させる。あるいは、軌道面と転動体の位置関係を上下逆にして軌道面をベース部に設け、転動体を座部に設け、転動体が軌道面上を往復走行するようにしてもよい。
【００２０】
かかる実施形態において、１本の軌道面につき１個の転動体が転動する。そして、このように対をなす軌道面および転動体が、少なくとも揺動ベッドの前後左右にそれぞれ配設される。座部および乳幼児の重心が、揺動ベッドの前後左右の配置された転動体の中央部に位置し、座部および乳幼児を安定して支持する。揺動ロック機構の位置は特に限定されず、前方の転動体の前側であってもよいし、後方の転動体の後側であってもよいが、好ましくは、前方の転動体と後方の転動体との間に配置される。これにより、座部および乳幼児の重心の近傍に揺動ロック機構を配置して、座部を安定してロックすることができる。
【発明の効果】
【００２１】
本発明の揺動ベッドによると、保護者が背もたれ部を引き起こして椅子状態にすれば座部は揺動しないように自動的にロックされ、保護者が背もたれ部を後傾させてベッド状態にすれば座部は自動的に揺動可能にされる。したがって、保護者が意識してロック機構を操作しなくても、椅子状態で座部は自動的に揺動不能にされる。
【図面の簡単な説明】
【００２２】
【図１】本発明の一実施例になる揺動ベッドを示す斜視図である。
【図２】揺動ロック機構の基本構成を模式的に示す側面図である。
【図３】揺動ロック機構の基本構成を模式的に示す側面図である。
【図４】ベッド状態の揺動ベッドを示す側面図である。
【図５】転動体および軌道面を拡大して示す横断面図である。
【図６】ベッド状態の揺動ベッドを示す縦断面図である。
【図７】揺動ロックが解除された揺動ロック機構を拡大して示す横断面図である。
【図８】椅子状態の揺動ベッドを示す縦断面図である。
【図９】ロック状態の揺動ロック機構を拡大して示す横断面図である。
【図１０】揺動ロック機構のカムおよびロック部材を取り出して示す斜視図である。
【図１１】座部に取り付けられたロック部材を示す斜視図である。
【図１２】座部に取り付けられたロック部材を示す斜視図である。
【図１３】ロック部材の取り付け方法を説明するための斜視図である。
【図１４】図１１から座部の座面および外側壁を取り除いた斜視図であって、カムとロック部材と凹部との位置関係を表す。
【発明を実施するための形態】
【００２３】
以下、本発明の実施の形態を、図面に示す実施例に基づき詳細に説明する。
【００２４】
図１は、本発明の一実施例になる揺動ベッドを示す斜視図であって、背もたれ部を前方へ引き起こした椅子状態を表す。図２は揺動ロック機構の基本構成を模式的に示す側面図であって、ベッド状態を表す。図３は揺動ロック機構の基本構成を模式的に示す側面図であって、椅子状態を表す。図４は、幅方向外側からみた同実施例を示す側面図であって、背もたれ部を後傾させたベッド状態を表す。揺動ベッド１０は、乳幼児の下半身を支持する座部１１と、乳幼児の上半身を支持する背もたれ部２１と、座部１１を支持するベース部３１と、ベース部３１を支持する脚部４１とを有する。
【００２５】
座部１１は、ほぼ水平な上向きの座面１２を有し、座面１２で乳幼児の下半身を下方から支持する。また座部１１は、座面１２の幅方向両側からそれぞれ立ち上がる座席側壁１３，１３を有する。座席側壁１３は乳幼児を座面１２の上に保持する。座部１１の前部には下方に垂下する形状の足載せ部６６を取り付けることができる。足載せ部６６の下端に形成された足載せ面６６ｓは、年齢とともに成長した身長の大きな幼児の足部を支持する。また足載せ部６６は、その上端が幅方向に延びる軸６６ａを介して座部１１の前端に回動可能に連結する。したがって足載せ部６６は、幅方向に延びる軸６６ａを中心として座面１２と略同じ高さ位置まで回動可能であり、ベッド状態において身長の大きな幼児の下腿部を支持する。
【００２６】
背もたれ部２１は、座部１１の後部に軸２４を介して連結され、座部１１の後部から後方ないし上方に立ち上がる。背もたれ部２１は、上向きないし前向きの背もたれ面２２と、背もたれ面２２の幅方向両側に設けられて、背もたれ面２２から立ち上がる、背もたれ側壁２３，２３を有する。背もたれ面２２は乳幼児の背中を支持する。背もたれ側壁２３は乳幼児を背もたれ面２２の上に保持する。また背もたれ部２１は、乳幼児の肩部を拘束する１対の肩ベルト２５を備える。なお図には示さなったが、背もたれ部２１は、軸２４から離れた方の前後方向端に、背もたれ面２２から立ち上がって乳幼児の頭部を保護するヘッドガードを有してもよい。座部１１および背もたれ部２１は、乳幼児を収容する座席を構成する。明細書において、幅方向とは座部１１および背もたれ部２１に着座した乳幼児からみて左右方向をいい、前後方向とはこの乳幼児からみて足部から頭部までの水平方向をいい、上下方向とはこの乳幼児からみて足部から頭部までの垂直方向をいう。
【００２７】
軸２４は、幅方向両側にそれぞれ設けられ、幅方向一方側の背もたれ側壁２３および座席側壁１３を連結するとともに、幅方向他方側の背もたれ側壁２３および座席側壁１３を連結し、幅方向に延びる共通な軸線を構成する。図６は揺動ベッド１０の幅方向内側から幅方向外側をみた様子を一部断面にして示す断面図であり、背もたれ側壁２３は座席側壁１３よりも幅方向内側に配置される。
【００２８】
背もたれ部２１は軸２４回りに回動することにより、そのリクライニング角度を調整可能である。本実施例では、リクライニング角度を段階的に調整可能であって、図４に示すように座部１１に対する背もたれ部２１のリクライニング角度を約１７０°に保持することにより、揺動ベッド１０をベッド状態にすることができる。また背もたれ部２１のリクライニング角度を９０°〜１４０°のいずれかの値に保持することにより、揺動ベッド１０を椅子状態にすることができる。
【００２９】
リクライニング角度の保持は周知のリクライニング角度保持機構により行う。リクライニング角度保持機構は例えば、軸２４を中心として座部１１の幅方向一方側および他方側に周方向所定間隔に形成された複数の孔６２，６２，６２・・・と、背もたれ部２１の幅方向一方側および他方側にそれぞれ取り付けられていずれかの孔６２に選択的に差し込まれる一対のロッド６３からなる。ベッド状態では図４に示すように、ロッド６３が最も下方に形成された孔６２に差し込まれる。なお孔６２はカバーに覆われて、幅方向外側へ露出するものではないが、リクライニング角度保持機構の理解を容易にするため図４では孔６２および軸２４を幅方向外側から覆うカバーを取り除いて表す。
【００３０】
揺動ベッド１０はベッド状態で乳幼児が横たわるための場所を提供する。横たわるためのリクライニング角度は１８０°に限定されるものではなく、背もたれ部２１は前方へ若干引き起こされていてもよい。本実施例の揺動ベッド１０ではベッド状態で背もたれ部２１のリクライニング角度が１７０°にされる。この他、本発明でいうベッド状態とは、リクライニング角度が１５０°以上１８０°以下の範囲に含まれると理解されたい。また本発明でいう椅子状態とは、リクライニング角度が９０°以上１５０°未満の範囲に含まれると理解されたい。揺動ベッド１０は、椅子状態で、乳幼児が座るための椅子の形態に変化する。
【００３１】
座部１１とベース部３１との間には、座部１１を前後方向に揺動させるための揺動機構が設けられる。揺動機構は図４の側面図に示すように、座部１１の下部に回転自在に取り付けられた車輪状の転動体１４と、ベース部３１の内部に形成されて前後方向に延びる上向きの軌道面３４と、１対のベース部３１間に設けられて座部１１に前後方向の推力を与える図示しない動力部とを備える。動力部は永久磁石と電磁石とを有し、これらの磁石間の反発力により、前後方向の推力を生み出す。一方のベース部３１の幅方向外側には、乳幼児の保護者によって操作される操作スイッチを備え動力部を制御する操作部３７が設けられる。なお転動体１４は座部１１の内部に収容されて、幅方向外側へ露出するものではないが、揺動機構の理解を容易にするため図４では転動体１４を幅方向外側から覆う壁を取り除いて表す。また軌道面３４もベース部３１の内部に形成されて、幅方向外側へ露出するものではないが、揺動機構の理解を容易にするため図４では軌道面３４を幅方向外側から覆う壁を取り除いて表す。
【００３２】
軌道面３４はベース部３１の前部および後部にそれぞれ形成される。軌道面３４は上向きの面であって前後方向に延びるレールであり、転動体１４を下から支持する。転動体１４は座部１１の前部および後部にそれぞれ取り付けられて、各軌道面３４にそれぞれ支持される。
【００３３】
図５は転動体および軌道面を拡大して示す横断面図であって、前後方向にみた状態を表す。ベース部３１は前後方向に延びる箱体であって、幅方向一方側と幅方向他方側に対称に設けられる。ベース部３１の幅方向内側には連結部６５が形成される。連結部６５は前部および後部にそれぞれ形成され、幅方向に延びる横材６４の端部が差し込み固定される。これにより１対のベース部３１は前後２本の横材６４で連結される。ベース部３１の前部および後部には脚部４１の上端がそれぞれ連結される。
【００３４】
ベース部３１は座部１１を下方から支持する。転動体１４は、座部１１の前後両側および幅方向両側にそれぞれ設けられ、合計４個取り付けられる。また軌道面３４も各転動体１４に対応するよう、ベース部３１の前部および後部に設けられ、合計４個形成される。
【００３５】
転動体１４には幅方向に延びる軸１５が結合し、軸１５の両端が転動体１４から略均等の長さで突出する。転動体１４は、座部１１の幅方向外側端部から垂下する外側壁１７よりも幅方向外側に配置される。軸１５の幅方向外側端は座部１１の幅方向外側端部に形成された孔１５ｈに差し込まれ、回転自在に取り付けられる。軸１５の幅方向内側端は、外側壁１７の下縁から上向きに延びる縦長の切欠き１７ｃに差し込まれ、回転自在に保持される。
【００３６】
転動体１４は、揺動ベッド１０の幅方向に延びる軸１５を介して、座部１１の下部に取り付けられる。転動体１４が軌道面３４の上を転動することにより、座部１１はベース部３１の上で前後方向に揺動する。また座部１１および背もたれ部２１はこれら４個の転動体１４によって、ベース部３１の上で安定して支持される。
【００３７】
軌道面３４の幅方向両側には軌道面よりも上方へ突出した段差である鍔部３５が形成される。これにより軌道面３４および鍔部３５，３５は、凹字状のごとき下方に窪んだ断面形状にされ、転動体１４は軌道面３４から逸脱することなく軌道面３４上を転動する。また図に示さなかったが、座部１１およびベース部３１には、座部１１が過度に揺動することを防止するストッパ手段が設けられている。したがって転動体１４は軌道面３４を超えて前後方向に飛び出すことを防止される。
【００３８】
上向きの軌道面３４は、前後方向中央が最も低く前後方向両端が最も高い円弧形状に形成され、緩やかに湾曲する。４個の転動体１４は、それぞれの軌道面３４の前後方向中央に同時に位置するよう配置される。そして、４個の転動体１４が前後方向および上下方向に同じ動きをするよう、４箇所の軌道面３４は配置される。具体的には、４個の転動体１４はすべて同じ直径とされ、４箇所の軌道面３４はすべて同じ曲率を有する。
【００３９】
座部１１に前後方向の推力を与えると、複数の転動体１４が同じ動きでそれぞれの軌道面３４の上を同時に移動する。座部１１に前後方向の推力を与えない場合、複数の転動体１４は軌道面３４の前後方向中央で自然に停止する。このときの座部の前後方向位置を以下、自然停止位置という。また座部１１に前向きの推力を一瞬与えると、転動体１４は軌道面３４の前後方向中央から前進して軌道面３４の前端部まで転動し、その後は自然に後退し、前後方向中央を通り過ぎて軌道面３４の後端部まで後退し、再び軌道面３４の前後方向中央に向かって前進する。このようにして動力部が所定周期の推力を座部１１に与えることで、座部１１は前後方向に揺動するのである。また動力部が推力を与えないと、座部１１は前後方向に延びる揺動領域の中央である自然停止位置に戻る。
【００４０】
次に本実施例の揺動ロック機構について説明する。図６は、ベッド状態の揺動ベッドを示す縦断面図であり、幅方向内側から外側をみた状態を示す。図７は、揺動ロックが解除された揺動ロック機構を前後方向からみた状態を示す横断面図であって、幅方向中心Ｃから幅方向外側縁までを表し、図６のベッド状態に対応する。図８は椅子状態の揺動ベッドの概略構成を示す縦断面図であり、幅方向内側から外側をみた状態を示す。図９は揺動がロックされた揺動ロック機構を前後方向からみた状態を拡大して示す横断面図であって、幅方向中心Ｃから幅方向外側縁までを表し、図８の椅子状態に対応する。まず揺動ロック機構の概略構成および作用について説明する。  
【００４１】
図２および図３を参照して、揺動ロック機構の基本構成につき説明する。揺動ロック機構５１は、座部１１に変位可能に取り付けられるロック部材５３と、ベース部３１に形成されてロック部材５３を受け入れる凹部５７と、ロック部材５３を凹部５７へ付勢する螺旋状のばね５８とを有する。背もたれ部２１は、そのリクライニング角度に応じてロック部材５３を動作させる。
【００４２】
凹部５７は、上向きに窪んだ形状であり、上下方向に変位するロック部材５３を受け入れることによりロック部材５３と係合する。これにより、ロック部材５３を含む座部１１は、前後方向の移動が規制される。
【００４３】
図２に示すようにベッド状態では、背もたれ部２１がばね５８の付勢力に抗してロック部材５３をフリー位置Ｆまで押し下げ、ロック部材５３を凹部５７から離脱させる。これにより太い矢印で示すように座部１１の揺動が許容される。
【００４４】
図３に示すように椅子状態では、ばね５８がロック部材５３をロック位置Ｌまで押し上げ、ロック部材５３を凹部５７に係合させる。これにより座部１１の揺動が規制される。
【００４５】
なお背もたれ部２１は、図２に示すベッド状態でロック部材５３に直接当接してロック部材５３を下方に押し下げ、図３に示す椅子状態でロック部材５３から離隔するが、これは１実施例にすぎない。背もたれ部２１のリクライニング角度に応じて変位するロック部材は以下に説明する他の構成によっても実現可能であり、ロック部材が背もたれ部２１側の部材と常時摺接するものであってもよい。
【００４６】
次に図６以降を参照して、揺動ロック機構の各部の構造について詳細に説明する。図６および図８に示すように、揺動ロック機構５１は背もたれ部２１に設けられたカム５２をさらに有する。本実施例のカム５２は背もたれ側壁２３の幅方向外側面に形成される。あるいは図示しない変形例として、カム５２は背もたれ部２１の幅方向中央部に設けられてもよい。
【００４７】
カム５２は軸２４を中心として背もたれ部２１と一体に回動し、軸２４を中心とする半径方向外向きの円弧面５２ｒと、この円弧面に形成されて半径方向外向きに突出する突起部５２ｔからなる。幅方向外側からみて、カム５２はベッド状態および椅子状態のすべてにおいて座席側壁１３に覆われており、外部に露出しない。また座席側壁１３は、カム５２より大きな立ち上がり寸法および前後寸法を有し、すべてのリクライニング角度においてカム５２を常時覆う。揺動ロック機構５１は揺動ベッド１０の幅方向両側にそれぞれ設けられる。
図１０は、カム５２に当接するロック部材５３の様子を取り出して示す斜視図である。ロック部材５３はカム５２によって動作する。ロック部材５３は、本体部５４と、本体部５４から揺動ベッド１０の幅方向外側へ突出する係合部５５と、本体部５４から上方へ突出する突出部５６とを有する可動部品であり、カム５２よりも下方に配置される。本体部は座部１１の下部に取り付けられる（図７）。突出部５６は、座部１１に形成された孔１６（図７）を貫通し、その先端がカム５２に当接する。
【００４８】
図１１は座部に取り付けられたロック部材を示す斜視図であって、揺動ベッドの幅方向内側からみた状態を示す。図１２は座部に取り付けられたロック部材を示す斜視図であって、揺動ベッドの幅方向外側からみた状態を示す。
【００４９】
ロック部材５３の本体部５４は、座部１１の幅方向外側端部から垂下する外側壁１７よりも幅方向内側に配置される。ロック部材５３の係合部５５は、揺動ベッド１０の幅方向外側からみて上下方向に長く前後方向に短い直方体形状である。そして係合部５５は、座部１１の外側壁１７に形成された長孔１８を貫通し、幅方向外側へ突出する。上下方向に長く延びる長孔１８は、係合部５５の上下方向寸法よりも長いことから、係合部５５を含むロック部材５３は長孔１８に沿って上下方向に案内される。
【００５０】
図１３はロック部材の取り付け方法を説明するための斜視図であって、揺動ベッドの下側からみた状態を示す。ロック部材５３の本体部５４は、外側壁１７の幅方向内側壁面と向き合う矩形の本体壁５４ｍと、本体壁５４ｍの上側縁から立ち上がる上側壁５４ｕと、本体壁５４ｍの前側縁から立ち上がって上側壁５４ｕと接続する前側壁５４ｆと、本体壁５４ｍの後側縁から立ち上がって上側壁５４ｕと接続する後側壁５４ｔを有し、これら前側壁５４ｆ、上側壁５４ｕ、および後側壁５４ｔがコの字形状の連続壁を構成する。本体壁５４ｍには係合部５５が形成される。上側壁５４ｕには突出部５６および通し孔５４ｈが形成される。通し孔５４ｈには下方から上方へ段付タッピンねじ５９の軸部５９ａが通され、軸部５９ａの先端部が、座部１１に形成されたねじ穴１９に上向きに挿入固定される。
【００５１】
また段付タッピンねじ５９の軸部５９ａはばね５８を貫通する。ばね５８の外径は通し孔５４ｈの内径よりも大きいため、ばね５８の上端５８ｕは上側壁５４ｕの下面５４ｕｄに係止される。またばね５８の外径は段付タッピンねじ５９の頭部５９ｎの外径よりも小さいため、ばね５８の下端５８ｄは頭部５９ｎに係止される。これによりばね５８は、座部１１側の部材である段付タッピンねじ５９の頭部５９ｎと、ロック部材５３の上側壁５４ｕとの間に上下方向に縮設される。そしてばね５８はロック部材５３を上方へ付勢する。
【００５２】
ばね５８の付勢力によって、ロック部材５３の突出部５６はカム５２に常時当接し、カム５２の回動中は、突出部５６の先端が円弧面５２ｒ（図８）あるいは突起部５２ｔ（図６）に摺接する。
【００５３】
図１４は、図１１から座部の座面および外側壁を取り除いた斜視図であって、カム５２とロック部材５３と凹部５７との位置関係を表す。図７および図９も参照して、ベース３１は、座部１１の外側壁１７よりも幅方向外側に配置されて外側壁１７と対向し、前後方向および上下方向に広がる仕切壁３３を有する。仕切壁３３は幅方向外側空間と幅方向内側空間を仕切り、仕切壁３３の幅方向内側壁面には、前後方向に延びて係合部５５を受け入れる窪み３６と、窪み３６の上縁を構成して係合部５５よりも上方で前後方向に延びる下向きの曲面３２を有する。曲面３２は、その前後方向中央が前方端および後方端よりも下方へ膨らむよう形成され、曲面３２の曲率は軌道面３４の曲率と等しい。曲面３２の前後方向中央には、上向きに窪んだ凹部５７が形成される。転動体１４が軌道面３４の前後方向中央で自然に停止して座部１１が自然停止位置にあるときに、前後方向同位置で凹部５７は係合部５５と向き合う。
【００５４】
ベッド状態において、カム５２はロック部材５３を押し下げ、ロック部材５３の係合部５５が凹部５７から離脱することにより、揺動ロック機構５１は解除される。これにより座部１１は揺動を許容される。座部１１の前後方向の揺動中、係合部５５は曲面３２よりも下方で前後方向に往復する。
【００５５】
椅子状態において、座部１１は自然停止位置に復帰し、前後方向同位置でロック部材５３の係合部５５はベース部３１の凹部５７と向き合う。そしてロック部材５３はばね５８によって上方へ付勢され、係合部５５の上端が凹部５７に係合することにより、揺動ロック機構５１は座部１１の揺動をロックする。
【００５６】
ところで本実施例の揺動ベッド１０によれば、座部１１と、座部１１に連結され椅子状態からベッド状態までリクライニング角度を調整可能な背もたれ部２１と、座部１１を揺動可能に支持するベース部３１と、座部１１の揺動を許容ないし規制する揺動ロック機構５１とを備える。そして揺動ロック機構５１は、座部１１に設けられて背もたれ部２１のリクライニング角度に応じて変位するロック部材５３と、ベース部３１に形成されてロック部材５３を受け入れる凹部５７とを有し、ベッド状態でロック部材５３を凹部５７から離脱させて座部１１の揺動を許容し、椅子状態でロック部材５３を凹部５７に係合させて座部１１の揺動を規制するよう構成される。
【００５７】
これにより、保護者が背もたれ部２１を引き起こして椅子状態（図３、図８、図９）にすれば座部１１は揺動しないように自動的にロックされる。これに対し、保護者が背もたれ部２１を後傾させてベッド状態（図２、図６、図７）にすれば座部１１は自動的に揺動可能にされる。したがって、保護者が意識して揺動ロック機構を操作しなくても、椅子状態で座部１１は自動的に揺動不能にされる。
【００５８】
また本実施例によれば、揺動ロック機構５１は、リクライニング角度に連動して回動するカム５２をさらに有し、ロック部材５３はカム５２と変位可能に摺接する。これにより、カム５２の回転角度に応じてロック部材５３を変位させることができる。
【００５９】
また本実施例によれば、背もたれ部２１は、幅方向に延びる軸２４を介して座部１１に連結されて、軸２４回りにリクライニング角度を調整され、カム５２は、軸２４と同軸となるよう背もたれ部２１に設けられる。これにより、カム５２が背もたれ部２１と一体に回動し、リクライニング角度に応じて揺動ロック機構５１を動作させることができる。
【００６０】
また本実施例によれば、背もたれ部２１は、幅方向中央領域に形成される背もたれ面２２と、幅方向両側にそれぞれ形成されて背もたれ面２２から立ち上がる背もたれ側壁２３とを有する。そして図１０に示すようにカム５２は背もたれ側壁２３の幅方向外側に配置される。これにより、カム５２を背もたれ面２２に保持される乳幼児から隠すことができ、安全上有利である。
【００６１】
また本実施例によれば、座部１１は、幅方向中央領域に形成される座面１２と、幅方向両側にそれぞれ形成されて座面１２から立ち上がる座席側壁１３とを有する。そして図１１に示すように背もたれ側壁２３は座席側壁１３よりも幅方向内側に配置され、図１０に示すようにカム５２は背もたれ側壁２３の幅方向外側面に設けられて座席側壁１３に覆われる。これにより、カム５２とロック部材５３の当接箇所が背もたれ側壁２３と座席側壁１３との間に配置され、揺動ロック機構５１を外部に露出しないよう隠すことができる。したがって、指詰めなどの危険を防止することができる。
【００６２】
また本実施例によれば、ベース部３１は幅方向外側空間と幅方向内側空間とを仕切る仕切壁３３を有し、揺動ロック機構５１の凹部５７は仕切壁３３の幅方向内側壁面に形成され、揺動ロック機構５１のロック部材５３は仕切壁３３よりも幅方向内側に配置される。これにより、ロック部材と凹部の係合箇所が外部に露出しないようベース部の幅方向内側に隠すことができ、安全上有利である。
【００６３】
また本実施例によれば、ベース部３１および座部１１のいずれか一方は幅方向両側で前後方向に延びる１対の湾曲した軌道面３４を有し、ベース部３１および座部１１の残る他方は軌道面３４に沿って転動する転動体１４を有し、転動体１４が軌道面３４の上を往復することにより座部１１はベース部３１に対して揺動する。これにより、座部１１に推力を与えなければ座部１１は自然停止位置に自動復帰し、ロック部材５３と凹部５７を前後方向同位置にすることができる。したがって、ロック部材５３を上方へ押し上げるだけで凹部５７に容易に係合させることができる。
【００６４】
以上、図面を参照してこの発明の実施の形態を説明したが、この発明は、図示した実施の形態のものに限定されない。図示した実施の形態に対して、この発明と同一の範囲内において、あるいは均等の範囲内において、種々の修正や変形を加えることが可能である。
【産業上の利用可能性】
【００６５】
この発明になる揺動ベッドは、育児器具において有利に利用される。
【符号の説明】
【００６６】
１０  揺動ベッド、１１  座部、１２  座面、１３  座席側壁、１４  転動体、１５  軸、１７  外側壁、１８  長孔、１９  ねじ穴、２１  背もたれ部、２２  背もたれ面、２３  背もたれ側壁、２４  軸、３１  ベース部、３２  曲面、３３  仕切壁、３４  軌道面、３５  鍔部、３６  窪み、４１  脚部、５１  揺動ロック機構、５２  カム、５２ｒ  円弧面、５２ｔ  突起部、５３  ロック部材、５４  本体部、５４ｈ  通し孔、５５  係合部、５６  突出部、５７  凹部、５８  ばね、５９  段付タッピンねじ  ６６  足載せ部。
【図１】
0005851786.tif 000002
【図２】
0005851786.tif 000003
【図３】
0005851786.tif 000004
【図４】
0005851786.tif 000005
【図５】
0005851786.tif 000006
【図６】
0005851786.tif 000007
【図７】
0005851786.tif 000008
【図８】
0005851786.tif 000009
【図９】
0005851786.tif 000010
【図１０】
0005851786.tif 000011
【図１１】
0005851786.tif 000012
【図１２】
0005851786.tif 000013
【図１３】
0005851786.tif 000014
【図１４】
0005851786.tif 000015